(57)【要約】【課題】脱穀選別装置の揺動選別体において、処理物の選別を確実に行えるようにする。【解決手段】脱穀選別装置は、扱胴を内装した扱室と、扱室から落下した処理物を受け止めて処理物を揺動しながら選別する揺動選別体１０と、揺動選別体に向けて選別風を送風する唐箕ファンと、揺動選別体から漏下した処理物を２番口と１番口とに分離して流下案内する１番流板（３７）と、を備えている。揺動選別体は、漏下選別部を有し、かつ漏下選別部１９は、上手側に可動フィン５１が配置されていると共に、この可動フィン５１に続いてその下手側に固定フィン５２が配置され、下手端の可動フィンが、１番流板３７の先端３７ａより下手側に位置するように配置されている、【選択図】図７
2009027934.tif 000002
【特許請求の範囲】
【請求項１】
扱胴を内装した扱室と、
前記扱室から落下した処理物を受け止めて処理物を揺動しながら選別する揺動選別体と、
前記揺動選別体に向けて選別風を送風する送風ファンと、
前記揺動選別体から漏下した処理物を２番口と１番口とに分離して流下案内する１番流板と、を備えた脱穀選別装置において、
前記揺動選別体は、漏下選別部を有し、
前記漏下選別部は、前記揺動選別体の穀粒移送方向の上手側に可動フィンが配置されていると共に、該可動フィンに続いてその下手側に固定フィンが配置され、下手端の前記可動フィンが、前記１番流板の先端より下手側に位置するように配置されている、
ことを特徴とする脱穀選別装置。
【請求項２】
前記下手端の可動フィンの上部下手側に、前記固定フィン側に向けて突出する突出部を突設した、
請求項１に記載の脱穀選別装置。
【請求項３】
前記固定フィンが、複数個からなり、
前記固定フィンに、隣接する前記固定フィンに向けて突出する突出部を突設した、
請求項1又は２に記載の脱穀選別装置。
【発明の詳細な説明】
【技術分野】
【０００１】
本発明は、コンバインなどに設けられる脱穀選別装置に関し、特に、揺動選別部に、少なくとも上下２段の漏下選別部を備える脱穀選別装置に関する。
【背景技術】
【０００２】
一般に、コンバインなどに設けられる脱穀選別装置は、扱胴を内装した扱室と、扱室から落下した処理物を受け止めて処理物を揺動しながら選別する揺動選別体と、揺動選別体に向けて選別風を送風する送風ファンとしての唐箕ファンと、揺動選別体から漏下した処理物を２番口と１番口とに分離して流下する１番流板と、を備えていることが多い（特許文献１）。なお、１番口は、２番口より唐箕ファン側にある。
【０００３】
揺動選別体は、扱室から落下してくる処理物をチャフシーブなどの漏下選別部で受け止めて、揺動しながら、漏下選別部の隙間から漏下選別するようになっている。
【０００４】
【特許文献１】特許第２７７７０１４号公報
【発明の開示】
【発明が解決しようとする課題】
【０００５】
しかし、従来の脱穀選別装置は、漏下選別部における下手端の可動フィンが、１番流板の先端より上手側にある。このため、可動フィンと固定フィンとの間から落下した、切れ藁、藁屑等の２番物が、一番流板によって１番口に案内されることがあった。このため、１番口は、本来、穀粒である１番物を受け入れる場所であるにもかかわらず、２番物も受け入れて、１番物に２番物が混入することがあった。
【０００６】
また、可動フィンの上部や固定フィンの上部に載った２番物が、フィンの間を通過する唐箕ファンの選別風によって、舞い上がることもあった。
【０００７】
これらの理由によって、従来の脱穀選別装置は、処理物の選別率が低いという課題があった。
【０００８】
本発明は、揺動選別体において、処理物の選別を確実に行えるようにした脱穀選別装置を提供することにある。
【課題を解決するための手段】
【０００９】
請求項１の脱穀選別装置（１）は、
扱胴（６）を内装した扱室（２）と、
前記扱室（２）から落下した処理物を受け止めて処理物を揺動しながら選別する揺動選別体（１０）と、
前記揺動選別体（１０）に向けて選別風を送風する送風ファン（１１）と、
前記揺動選別体（１０）から漏下した処理物を２番口（６２）と１番口（６１）とに分離して流下案内する１番流板（３７）と、を備え、
前記揺動選別体（１０）は、漏下選別部（１８，１９）を有し、
前記漏下選別部（１９）は、前記揺動選別体の穀粒移送方向の上手側に可動フィン（５１）が配置されていると共に、該可動フィン（５１）に続いてその下手側に固定フィン（５２）が配置され、下手端の前記可動フィン（５１）が、前記１番流板（３７）の先端（３７ａ）より下手側に位置するように配置されている、ことを特徴としている。
【００１０】
請求項２の脱穀選別装置（１）は、請求項１の発明において、前記下手端の可動フィン（５１）の上部下手側に、前記固定フィン（５２）側に向けて突出する突出部（５１ａ）を突設してある。
【００１１】
請求項３の脱穀選別装置（１）は、請求項１又は２の発明において、前記固定フィン（５２）が、複数個からなり、前記固定フィン（５２）に、隣接する前記固定フィン（５２）に向けて突出する突出部（５２ａ、５２ｂ）を突設してある。
【００１２】
なお、上記括弧内の符号は、図面と対照するためのものであり、これにより特許請求の範囲を限定するものではない。
【発明の効果】
【００１３】
請求項１の脱穀選別装置は、下手端の可動フィンが、１番流板の先端より下手側に位置するように配置されているので、可動フィンと固定フィンとの隙間から落下した、切れ藁、藁屑等の２番物が、１番流板によって１番口に案内されることなく、２番口に案内されて、１番物に２番物が混入するのを防止することができる。よって、請求項１の脱穀選別装置は、処理物の選別率を高めることができる。
【００１４】
請求項２の脱穀選別装置は、下手端の可動フィンの上部下手側に、固定フィン側に向けて突出する突出部を突設してあるので、フィンの間を通過する送風ファンの選別風の通過風量が少なくなり、可動フィンや固定フィン上に載った２番物の飛散を少なくして、処理物の選別率を高めることができる。
【００１５】
請求項３の脱穀選別装置は、固定フィンに、隣接する固定フィンに向けて突出する突出部を突設してあるので、固定フィンの間を通過する送風ファンの選別風の通過風量が少なくなり、固定フィン上に載った２番物の飛散を少なくして、処理物の選別率を高めることができる。
【発明を実施するための最良の形態】
【００１６】
以下、本発明の実施形態の脱穀選別装置を図面に基づいて説明する。なお、説明中、上手或いは上手側とは、揺動選別体１０の穀粒移送方向の上流側、すなわち、図１において、左側のことを言う。また、下手流或いは下手側とは、揺動選別体１０の穀粒移送方向の下流側、すなわち、図１において右側のことを言う。
【００１７】
図１、図２において、脱穀選別装置１は、主に、扱胴６を内装した扱室２と、扱室２から落下した処理物（混合物を含む穀粒）を受け止めて処理物を揺動しながら選別する揺動選別体１０と、揺動選別体１０に向けて選別風を送風する送風ファンとしての唐箕ファン１１と、揺動選別体１０から漏下した処理物を２番口と１番口とに分離して流下案内する１番流板３７と、を備えている。揺動選別体１０は、左右側板１０ｂの間にユニット化された上下２段の漏下選別部としての上段、下段チャフシーブ１８，１９を備えている。なお、チャフシーブは、１段でもよい。また、上下３段以上、備えていてもよい。
【００１８】
脱穀選別装置１は、さらに、茎稈を扱室２に沿って搬送する脱穀フィードチェン３と、脱穀済みの茎稈を後処理部４まで搬送する排藁搬送装置５と、扱室２の扱胴６で脱穀された処理物が漏下する第１受網７と、第１受網７から漏下しないで扱室２の終端まで達した処理物を単粒化処理する処理胴８と、処理胴８で単粒化された処理物を漏下させる第２受網９と、１番物を回収する１番口６１に設けた１番螺旋１２と、２番物を回収する２番口６２に設けた２番螺旋１３と、２番螺旋１３の下手側で２番選別風を送風する２番選別ファン１４と、揺動選別体１０の終端部上方に設けられる排塵室１５と、この排塵室１５に回転自在に内装される排塵ファン１６とを備えている。
【００１９】
揺動選別体１０は、第１受網７から漏下した処理物を下手側へ順次搬送する揺動流板１７と、この揺動流板１７の下手端部で処理物を層状選別（比重選別）する上段、下段チャフシーブ１８，１９と、この上段、下段チャフシーブ１８，１９から漏下した処理物を網部材で篩い選別するグレンシーブ２０と、下段チャフシーブ１９の下手側に配置されるストロラック２１等を備える揺動アッセンブリである。揺動選別体１０は、選別室Ｓ内に揺動自在に支持されると共に、不図示の駆動機構（クランク機構、カム機構など）によって所定の周期で連続的に往復揺動するようになっている。
【００２０】
揺動選別体１０の下手側には、コ字状のプレートからなる左右一対の把手１０ａが溶接によって設けられている。把手１０ａは、揺動選別体１０の出し入れ（着脱）に際し、揺動選別体１０を持ちやすくするために設けてある。
【００２１】
上段、下段チャフシーブ１８，１９は、各々ユニット化されて、所定の間隔を存して上下に配設されている。揺動流板１７から下手側に移送された穀粒は、上段チャフシーブ１８で第１の層状選別を受けた後、下段チャフシーブ１９上に落下し、下段チャフシーブ１９上で第２の層状選別を受けてからグレンシーブ２０上に落下する。このように、脱穀選別装置１は、上段、下段チャフシーブ１８，１９によって２段階層状選別を行うので、選別精度や選別効率を向上させることができる。本実施形態では、下段チャフシーブ１９から漏下した穀粒をさらにグレンシーブ２０で篩選別しているが、グレンシーブ２０は、必ずしも必要でない。
【００２２】
唐箕ファン１１は、ファンケース２２に内装されており、その下手部に形成された三つの送風口２２ａ，２２ｂ，２２ｃから揺動選別体１０に向けて選別風を送風するようになっている。３つの送風口２２ａ，２２ｂ，２２ｃは、上下方向に並んでおり、上段送風口２２ａは、上段チャフシーブ１８と下段チャフシーブ１９の間に形成される選別風路の上手側に連通されている。中段送風口２２ｂは、下段チャフシーブ１９とグレンシーブ２０の間に形成される選別風路の上手側に連通されている。下段送風口（主選別風路吹出口）２２ｃは、グレンシーブ２０と１番螺旋１２の間に形成される選別風路の上手側に連通されている。
【００２３】
このように、３つの送風口２２ａ，２２ｂ，２２ｃを配設すると、上段チャフシーブ１８と下段チャフシーブ１９の間、下段チャフシーブ１９とグレンシーブ２０の間、さらにグレンシーブ２０と１番螺旋１２の間でそれぞれ風選別が行われるので、脱穀選別装置１は、処理物の選別精度や選別効率を向上させることができる。
【００２４】
図３、図４に示すように、上段、下段チャフシーブ１８，１９は、上手下手方向に所定間隔を存して並列する複数の可動フィン４１，５１と固定フィン４２，５２，５３を備えている。各フィン４１，４２，５１，５２，５３は、下手側に傾斜しており、揺動選別体１０の揺動に伴って処理物を下手側へ移送しつつ、フィン間の隙間から穀粒を漏下させるようになっている。
【００２５】
上下２段のチャフシーブ１８，１９間に形成される選別風路の上手側を唐箕ファン１１（図１）の送風口２２ａに連通させてあるので、上下２段のチャフシーブ１８，１９間に流れ込む選別風（下段チャフシーブ１９を通過していない強い風）が上段チャフシーブ１８を通過し易くなっている。この結果、上段チャフシーブ１８から強い風が吹き上がり（いわゆるエアカーテン）、処理物の移送を妨げる可能性があるだけでなく、上段チャフシーブ１８から吹き上る強い風が扱室２内の処理物に当り、脱穀精度を低下させる可能性もある。
【００２６】
そこで、本実施形態の脱穀選別装置１は、上段チャフシーブ１８を構成する可動フィン４１の上端部に、選別風の吹き上げを抑える曲げ部４１ｂを形成してある。具体的には、可動フィン４１の上端部を下手側に曲げ加工してある。このようにすると、上下２段のチャフシーブ１８，１９間に形成される選別風路の上手側を唐箕ファン１１の送風口２２ａに連通しても、上段チャフシーブ１８における選別風の吹き上げを抑えることができる。この結果、上段チャフシーブ１８上における処理物の移送を妨げたり、扱室２内の処理物に悪影響を与えたりすることが少なく、上下２段のチャフシーブ１８，１９間で良好な風選別を行うことができる。
【００２７】
また、上段チャフシーブ１８の下手側端部１８ａは、主選別風の吹出口である下段送風口（主選別風吹出口）２２ｃの上端部２２ｃａと、排塵室１５の上手部１５ａとを結ぶ線Ｌよりも上手側に位置している。このようにすると、上段チャフシーブ１８が主選別風の流れに影響しないので、主選別風の吹き抜けを良好にし、選別精度を向上させることができる。
【００２８】
上段、下段チャフシーブ１８，１９を構成する可動フィン４１，５１は、フィン角度を調節することができるようになっている。このフィン角度調節に応じてフィン間の隙間調節（以下、フィン開度調節という。）が行われる。例えば、処理物の種類（例えば、稲、濡れ材、麦など）、揺動流板１７や上段、下段チャフシーブ１８，１９上における処理物の量、選別風路における風量や風速、コンバインの車速などに応じて、フィン開度が調節される。本実施形態の脱穀選別装置１では、上段チャフシーブ１８及び下段チャフシーブ１９のフィン開度を調節可能にするにあたり、上段、下段チャフシーブ１８，１９のフィン開度調節機構２３、２４を個別に設けてある。このようにすると、上段チャフシーブ１８及び下段チャフシーブ１９の開度を個別に調節することができて、様々なパターンの開度調節が可能になる。この結果、本実施形態の脱穀選別装置１は、上下のチャフシーブ１８，１９を連係させて開度を調節する場合と比べて、幅広い開度の調節を可能にし、選別精度や選別効率を向上させることができる。
【００２９】
次に、フィン開度調節機構２３，２４を図３乃至図６に基づいて説明する。上段、下段チャフシーブ１８，１９を構成する可動フィン４１，５１は、回動軸２５，３５を回転中心にして回動できるようになっている。回動軸３５は、後述する、ユニット化された下段チャフシーブ１９（図８）の左右側板５４に設けられている。回動軸２５は、下段チャフシーブ１９と同様にユニット化された上段チャフシーブ１８の左右側板（不図示）に設けられている。
【００３０】
可動フィン４１，５１は、所定数を一組として連係杆２６，３６で連係されており、同じ組の可動フィン４１，５１の回動に応じて連動的に回動するようになっている。本実施形態の上段チャフシーブ１８は、１つの組として連係動作される３枚の可動フィン４１と、１枚の固定フィン４２とで構成されている。また、下段チャフシーブ１９は、４つの組（４〜６枚単位）として連係動作される１９枚の傾動可能な可動フィン５１と、上手側の１枚の固定フィン５３と、下手側の２枚の固定フィン５２とで構成される。なお、各フィンの枚数は、本実施形態の枚数に限定されるものではない。
【００３１】
図４において、下段チャフシーブ１９のフィン開度調節機構２４は、各組の回動軸３５に固設されたアーム２７と、揺動選別体１０の側板１０ｂに沿って上手下手方向にスライド自在な駆動プレート２８と、この駆動プレート２８を強制的にスライドさせるモータ２９と、駆動プレート２８の位置を検出するフィン開度センサ３０とを備えている。
【００３２】
アーム２７は、先端部に回転自在なローラ２７ａを備えて、このローラ２７ａが駆動プレート２８のカム片２８ａに当接するように、不図示のばねで上方に引かれている。駆動プレート２８は、側板１０ｂの上手下手方向に並んでに突設された１対のガイドピン１０ｃに、長孔２８ｂが嵌合して、図４において左右方向にスライド自在に支持されている。駆動プレート２８は、上手側にラック２８ｃが形成されている。モータ２９は、減速機構付きのものであり、ラック２８ｃに噛合するピニオンギヤ２９ａの正逆駆動により、駆動プレート２８を強制的にスライドさせるようになっている。フィン開度センサ３０は、例えばポテンショメータで構成され、センサ軸に固設した検出アーム３０ａを駆動プレート２８の一部に圧接係合されて、駆動プレート２８の位置を検知するようになっている。
【００３３】
上記のように、下段チャフシーブ１９のフィン開度調節機構２４は、モータ２９の駆動に応じて可動フィン５１の開度を変更する電動式である。モータ２９が駆動すると、駆動プレート２８がスライドして、アーム２７が回動する。アーム２７は、可動フィン５１の回動軸３５に設けられている。このため、アーム２７の回動にともなって、可動フィン５１も回動する。この結果、可動フィン５１の開度が変更される。また、可動フィン５１の開度が変更されると、駆動プレート２８の位置検知に基づいてフィン開度センサ３０が可動フィンの開度の変化を検知する。
【００３４】
本実施形態の脱穀選別装置１は、下段チャフシーブ１９のフィン開度調節を自動制御で行えるように、マイコンなどで構成される制御部３１を備えている。この制御部３１は、モータ２９、フィン開度センサ３０、風量センサ３２などを接続されて、下段チャフシーブ１９の自動的なフィン開度調節を行う。風量センサ３２は、主選別風路の風量に基づいて、揺動選別体１０における処理物の量を検出する。例えば、制御部３１は、処理物の量が多く、風量センサ値が大のときは、下段チャフシーブ１９のフィン開度を大きくし、処理物の量が少なく、風量センサ値が小のときは、下段チャフシーブ１９のフィン開度を小さくする。なお、風量センサ３２は、主選別風路と外気とを連通する検出風路に介設され、主選別風路の風量に応じて流入する外気の風速に基づいて主選別風路の風量検出を行う。
【００３５】
一方、上段チャフシーブ１８のフィン開度調節機構２３は、可動フィン４１の回動軸２５に固設されたアーム３３と、このアーム３３を任意の角度で固定する開度調節用ボルト３４とを備えている。アーム３３には、回動軸２５を中心とする円弧状の長孔３３ａが形成されており、ここに開度調節用ボルト３４が貫通される。そして、開度調節用ボルト３４を緩めると、手動によって可動フィン４１の開度を調節することができる。また、開度調節用ボルト３４を締め付けると、可動フィン４１の回動が規制される。すなわち、上段チャフシーブ１８の可動フィン４１の開度は、処理物の種類（稲、濡れ材、麦など）を変更するときに調節し、それ以外のときは無闇に調節できないようになっている。
【００３６】
したがって、上段チャフシーブ１８のフィン開度調節機構２３は、開度調節用アクチュエータによらず、手動によって、可動フィン４１の開度を調節できるようにして、コストアップを回避した構造になっている。また、上段チャフシーブ１８の可動フィン４１の開度と、下段チャフシーブ１９の可動フィン５１の開度は、個別に調節できるようになっている。
【００３７】
ところで、下段チャフシーブ１９の可動フィン５１と固定フィン５２との間から落下した、切れ藁、藁屑等の２番物が、２番口６２（図１）の２番螺旋１３に落下しないで、１番流板３７によって１番口６１の１番螺旋１２に案内されるおそれがある。
【００３８】
すなわち、固定フィン５２の開度は、可動フィン５１の開度調節範囲の最大開度に相当する開度に設定してある。このため、図７（ａ）に示す、可動フィン５１同士の開度を開いた状態では、可動フィン５１同士の隙間と、固定フィン５２同士の隙間と、可動フィン５１と固定フィン５２との隙間は、ほぼ同じである。これに対して、図７（ｂ）に示す、処理物が少なく、可動フィン５１同士の開度を閉じた状態では、可動フィン５１が傾き、可動フィン５１同士の隙間が狭まるが、可動フィン５１と固定フィン５２との隙間が広がる。この結果、可動フィン５１と固定フィン５２との間から落下する藁屑などの２番物が多くなり、１番流板３７によって１番口６１の１番螺旋１２に案内される２番物が多くなる。
【００３９】
そこで、固定フィン５２も開度を調整できるようにして、固定フィン５２と下手端の可動フィン５１との隙間が広がらないようにすればよいが、固定フィン５２は、下段チャフシーブ１９の構造上、開度を調整できないようになっている。
【００４０】
すなわち、下段チャフシーブ１９は、図８に示すように、１対の左右側板５４に、上手側から順に、固定フィン５３、可動フィン５１、固定フィン５２、ストロラック２１が設けられてユニット化されている。そして、ユニット化された下段チャフシーブ１９は、左右側板５４を揺動選別体１０の左右側板１０ｂに取り付けて、左右側板１０ｂの間に容易に組みこまれている。
【００４１】
この場合、固定フィン５３，５２に、揺動選別体１０の１対の左右側板１０ｂを連結する部材の役目をさせている。このため、固定フィン５３，５２は、下段チャフシーブ１９の左右側板５４にボルト・ナット５５によって固定され、結果的に左右側板１０ｂに固定されて、揺動選別体１０を揺動に耐えられる強固な構造にしている。図８中、符号５６は、左右側板５４を、揺動選別体１０の左右側板１０ｂに取り付けるためのボルト孔を示している。このような理由によって、固定フィン５２は、開度を調整できないで固定されている。
【００４２】
そこで、本実施形態の脱穀選別装置１は、下手端（図７の右端）の可動フィン５１を、１番流板３７の先端３７ａより下手側に位置するように配置して、可動フィン５１と固定フィン５２との隙間から落下した、切れ藁、藁屑等の２番物が１番流板３７の下手側に落下するようにしている。このような構成にすると、１番流板３７に受け止められて１番口６１に案内される２番物が殆どなくなる。なお、下手端の可動フィンのみならず、下手端から上手側に複数の可動フィンが、１番流板３７の先端３７ａより下手側に位置するように配置してもよい。
【００４３】
よって、本脱穀選別装置１は、１番物に２番物６２が混入するのを防止することができて、処理物の選別率を高めることができる。
【００４４】
また、可動フィン５１同士が閉じた状態（図７（ｂ））では、可動フィン５１と固定フィン５２との隙間が広くなるので、その隙間を通過する唐箕ファン１１の選別風の通過風量が多くなり、可動フィン５１、固定フィン５２上に載っている２番物が、選別風によって舞い上がり、飛散（３番飛散が発生）するおそれがある。さらに、下手端（図７の右端）の可動フィン５１を、１番流板３７の先端３７ａより下手側に位置するように配置したことによって、より穀粒の１番物の飛散が発生し易くなる。
【００４５】
そこで、本実施形態の脱穀選別装置１は、下手端（図７乃至図９の右端）の可動フィン５１の上部下手側に、固定フィン５２側に向けて突出する突出部としての曲げ部５１ａを突設してある。
【００４６】
このような構成にすると、曲げ部５１ａが無い場合と比較して、下手端の可動フィン５１と固定フィン５２との間が狭くなって、唐箕ファン１１の選別風の通過風量が少なくなり、可動フィン５１や固定フィン５２上に載った２番物が、選別風によって、飛散することが少なくなる。よって、本脱穀選別装置１は、処理物の選別率を高めることができる。
【００４７】
さらに、固定フィン５２の上部に載った２番物が、唐箕ファン１１の選別風によって、舞い上がって、飛散するおそれを少なくするため、次のような構成になっている。
【００４８】
すなわち、可動フィン５１と固定フィン５２は、等間隔（Ｌ１）に配設されている。そして、複数個の固定フィン５２に、隣接する固定フィンに向けて突出する突出部としての折り部５２ａ、５２ｂを上部と下部とに突設してある。これによって、固定フィン５２同士の隙間（Ｌ２）は、固定フィン５２の配設間隔（Ｌ１）より狭くなっている。また、可動フィン５１に対向する固定フィン５２の下部にも、可動フィン５１側に向けて曲げ部５２ｂを突設してある。これによって、可動フィン５１と固定フィン５２との隙間（Ｌ３）も、可動フィン５１と固定フィン５２との配設間隔（Ｌ１）より狭くなっている。
【００４９】
したがって、固定フィン５２同士の間、可動フィン５１と固定フィン５２との間を通過する唐箕ファン１１の選別風の通過風量が、折り部５２ａ、５２ｂ、５１ａが無い場合と比較して少なくなる。このため、固定フィン５２上に載った２番物が、固定フィン５２同士間を通過する選別風によって、飛散することが少なくなる。また、可動フィン５１と固定フィン５２とに載った２番物も、可動フィン５１と固定フィン５２との間を通過する選別風によって、飛散することが少なくなる。よって、本脱穀選別装置１は、処理物の選別率を高めることができる。
【００５０】
以上、説明した脱穀選別装置は、漏下選別部として上下２段のチャフシーブを備えているが、上段のチャフシーブの代わりにグレンシーブを使用してもよい。
【図面の簡単な説明】
【００５１】
【図１】本発明の実施形態における脱穀選別装置の正面図であり、概略断面図である。
【図２】図１を右側から見た図である。
【図３】揺動選別体の正面図である。
【図４】揺動選別体のファン開度調節機構の図である。
【図５】下段チャフシーブの可動フィンにおける支持部の図である。
【図６】制御部の入出力を示すブロック図である。
【図７】下段チャフシーブの可動フィンと固定フィンとの図である。（ａ）は、可動フィンの開度が大きい状態の図である。（ｂ）は、（ａ）よりも、可動フィンの開度を小さくした状態の図である。
【図８】下段チャフシーブの斜視図である。
【図９】下段チャフシーブの可動フィンと固定フィンとの拡大図である。
【符号の説明】
【００５２】
Ｓ      選別室
１      脱穀選別装置
２      扱室
６      扱胴
１０      揺動選別体
１１      唐箕ファン（送風ファン）
１７      揺動流板
１８      上段チャフシーブ（漏下選別部）
１８ａ    下手側端部
１９      下段チャフシーブ（漏下選別部）
２０      グレンシーブ
２１      ストロラック
２２ａ，２２ｂ，２２ｃ      送風口
２３      上段チャフシーブのフィン開度調節機構
２４      下段チャフシーブのフィン開度調節機構
３１      制御部
３７      １番流板
３７ａ    １番流板の先端
４１      上段チャフシーブの可動フィン
４１ｂ    上段チャフシーブの可動フィンの曲げ部
５１      下段チャフシーブの可動フィン
５１ａ    可動フィンの曲げ部（突出部）
５２      下段チャフシーブの固定フィン
５２ａ，５２ｂ    固定フィンの曲げ部（突出部）
６１      １番口
６２      ２番口
【図１】
2009027934.tif 000003
【図２】
2009027934.tif 000004
【図３】
2009027934.tif 000005
【図４】
2009027934.tif 000006
【図５】
2009027934.tif 000007
【図６】
2009027934.tif 000008
【図７】
2009027934.tif 000009
【図８】
2009027934.tif 000010
【図９】
2009027934.tif 000011